(57)【要約】【課題】  簡単な構造により、魚の口の奥深くに刺さって見えない釣針の針先の向きを変え、釣針の引き出し時に別の部位に刺さらないように取り出すことが可能な釣針外し具の提供。【解決手段】  スライド可能な瓢箪型中空パイプ１と、この瓢箪型中空パイプ１の中空形状に合わせた形状の釣針外しの部材２を瓢箪型中空パイプ１内に備え、釣針外しの部材２の先端部に釣針が通る径で形成された釣針通し穴２ａと、ハリスを通すことが可能な幅で形成された釣針通し穴に通じる切り欠き２ｃとを備え、釣針通し穴２ａに釣針３が掛かった状態で瓢箪型中空パイプ１を釣針外し部材２の先端方向にスライドすることにより釣針通し穴の先端２ｄに瓢箪型中空パイプ１の先端１ａが釣針３を挟んで押し付けられ、釣針３が固定されると共に、若干の釣針３の針先の向きを変える力が働き、釣針を魚の口内から引き出す際、釣針３の針先の向きを釣針外し具の引き出し方向と反対方向に変え、魚口内の別の部位に刺さらないように取り出すことが可能となる。【選択図】図４
2008073036.tif 000002
【特許請求の範囲】
【請求項１】
スライド可能な瓢箪型中空パイプと、前記瓢箪型中空パイプ内に、この前記瓢箪型中空パイプの中空形状に合わせた形状の釣針外しの部材を備え、前記釣針外し部材は先端部に釣針が通る径で形成された釣針通し穴と、ハリスを通すことが可能な幅で形成された前記釣針通し穴に通じる切り欠きとを備え、前記瓢箪型中空パイプをスライドすることにより、前記釣針と通し穴に在る釣針が前記瓢箪型中空パイプの先端部瓢箪形状の窪み部分に釣針の先端と軸の部分が外側に出た状態で掛かり更に前記瓢箪型中空パイプをスライドすることにより前記釣針通し穴の先端に前記瓢箪型中空パイプの先端が釣り針を挟んで押し付けられ、釣針を固定すると共に若干の釣針の針先の向きを変える力が働くため、釣針を魚の口内から引き出す際、釣針の針先の向きを変えることができる釣針外し具。
【請求項２】
前記針通し穴に通じる切り欠きは、前記瓢箪型中空パイプをスライドすることにより前記釣針通し穴の先端に釣り針を挟んで押し付けた時、前記針外し具の強度を確保するため前記瓢箪型中空パイプ内部に隠れる位置に開けたものである請求項１記載の釣針外し具。
【請求項３】
前記瓢箪型中空パイプを前期釣針外し部材の先端に向けてスライドする際、前記瓢箪型中空パイプ内に釣針の針先の部分が入らないようにするため、前記瓢箪型中空パイプの内径と前記釣針外し部材の外径の隙間を、前記瓢箪型中空パイプの先端から２ｃｍ程度は前記釣針外し部材の胴体部と密着したものである請求項１記載の釣針外し具。
【発明の詳細な説明】
【技術分野】
【０００１】  本発明は、魚の口の奥深くに刺さった針を容易に外すことができる、釣り用針外し具に関するものである。
【背景技術】
【０００２】  魚に飲み込まれた釣針を外す場合、特許文献１に記載のような道具を使用して、魚の口の奥深くに突き刺さった釣針を外しているのが一般的でありまた形状がコンパクトで使いやすいため市販品も多い。【０００３】  特許文献２においては、魚の口の奥深くに刺さって見えない釣針の針先の向きを変え釣針の引き出し時に別の部位に刺さらないように意識して取り出すことが可能な釣針外し具が提案されている。【０００４】
【特許文献１】特許公開２００２−９５４００
【特許文献２】特許公開２００５−１８５１８５
【発明の開示】
【発明が解決しようとする課題】
【０００５】  ところが、特許文献１のような道具を用いた場合、釣り針の形状によっては魚の口の奥深くに突き刺さった釣針を外しても、それを引き出す際に別の部位に刺さってしまうので、釣針を取り出しにくいという問題がある。
また特許文献２では釣針の一部をパイプ内に引き込むため、釣針に強い力が加わり釣針が変形または破損する恐れがある。
また構造が複雑な上かさばるため市場には普及していない。【０００６】  本発明では、特許文献１の簡単な構造とコンパクトさを維持したまま、特許文献２の釣針の針先の向きを変、釣針の引き出し時に別の部位に刺さらないように取り出すことを可能とする釣針外し具を提供することを目的とする。
【課題を解決するための手段】
【０００７】  本発明の釣針外し具は、スライド可能な瓢箪型中空パイプと、瓢箪型中空パイプ内に、この瓢箪型中空パイプの中空形状に合わせた形状の釣針外し部材を備え、釣針外し部材の先端部に釣針が通る径で形成された釣針通し穴と、ハリスを通すことが可能な幅で形成された釣針通し穴に通じる切り欠きとを備え、瓢箪型中空パイプをスライドすることにより釣針通し穴に在る釣針が、釣針通し穴の先端部と瓢箪型中空パイプの先端部が釣り針を挟んだ形で押し付けられ、釣り針が固定されると共に、若干の釣針の針先の向きを変える力が働くため、釣針を魚の口内から引き出す際、釣針の針先の向きを変えることができることを特徴とする。【０００８】  本発明の釣針外し具によれば、スライド可能な瓢箪型中空パイプを釣針外し部材の先端から反対に側に移動さした状態で、釣針外し部材の釣針通し穴に通じる切り欠きにハリスを通し、その状態で釣針外し具を魚の口に挿入していくことで釣針通し穴の底部に釣針を掛けることができる。【０００９】  そして、瓢箪型中空パイプを釣針外し部材の先端に向けてスライドすると、瓢箪型中空パイプの瓢箪形状の窪みの部分に、釣り針の針先の部分が外側に出た状態で掛かる、さらに先端に向けてスライドすると、釣針通し穴の先端部に瓢箪型中空パイプの先端部が釣り針を挟んだ状態で押し付けられることにより、釣り針が固定されると共に、若干の釣針の針先の向きを変える力が働くため、釣針を魚の口内から引き出す際、針先の向きが釣針外し具の引き出し方向と反対方向に変わり、釣針が魚の口の中の別の部位に刺さることなく釣針を取り出すことができる。【００１０】  針通し穴に通じる切り欠きは、前記瓢箪型中空パイプをスライドすることにより釣針通し穴の先端に釣り針を挟んで押し付けた時、針外し具の強度を確保するため瓢箪型中空パイプ内部に隠れる位置に開けることが望ましい。【００１１】  瓢箪型中空パイプを釣針外し部材の先端部に向けてスライドする際、瓢箪型中空パイプ内に釣針の針先の部分が入らないようにする必要があるが、そのためには瓢箪型中空パイプの内径と釣針外し部材の外径の隙間をなるべく小さくすることが望ましい。【００１２】  瓢箪型中空パイプは釣針通し穴の先端部に瓢箪型中空パイプの先端部で釣り針を挟んだ状態で押し付けるためある程度の強固な材質が望ましい。
【発明の効果】
【００１３】  本発明によれば魚の口内から釣針を外す際、針先の向きを引き出し方向と反対方向に変えるため、釣針の引き出し時に別の部位に刺さらないように取り出すことが可能となる。
また魚の口内から釣針を外す際、釣針が固定されているため、釣針を固定するために、ハリスを引っ張っておく必要がなくなる。
このような釣針外し具は非常に構造が簡単でかさばらず小さなポケットでも容易に治めることができ、極めて製造コストの低い釣針外し具となる。
【発明を実施するための最良の形態】
【００１４】  図１は瓢箪型中空パイプ正面図、図２は釣針外し部材正面図、図３は図１と図２を組み合わせた本発明の実施の形態における釣針外し具正面図とその断面図である。【００１５】  図１の瓢箪型形状は左側から２ｃｍ程度で良くそれ以降右側の形状は問わない。【００１６】  図３に示すように、本発明の実施の形態における釣針外し具は、瓢箪型中空パイプ１内に釣針外し部材２を通しただけの極めてシンプルな組み合わせにより構成される。
【実施例】
【００１７】  実施例を図４にて説明する。まず、図４（ａ）に示すように瓢箪型中空パイプ１を右側へ移動させ、釣針外し部材２の切り欠き２ｃに、魚（図示せず）が飲み込んだ釣針３に結ばれたハリス４を通し、釣針外し具（瓢箪型中空パイプ１および釣針外し部材２）を魚の口の中に挿入していく。【００１８】  釣針外し具の先端が魚の口の中の釣り針まで届くと図４（ｂ）のように釣り針３が釣針外し部材２の釣針通し穴２ａの右側内壁２ｂ部に掛かる。【００１９】  その状態で、図４（ｃ）のように瓢箪型中空パイプ１を釣針外し部材２の先端に向けてスライドすると、瓢箪型中空パイプ１の瓢箪形状の窪み部分１ａに、釣り針３の針先と軸の部分が外側に出た状態で掛かる。【００２０】  図４（ｄ）のように更に瓢箪型中空パイプ１を先端に向けてスライドすると、釣針通し穴２ａの先端２ｄに瓢箪型中空パイプの先端１ａが釣り針３を挟んだ状態で押し付けられ、釣り針３が固定されると共に、釣針が楕円形状のため釣り針３の針先の向きを変える力が働き、釣り針３が釣針外し具の引き出し方向と反対方向に向こうとする。この状態で、釣針外し具を魚の口の中から引き出すことにより、完全に釣り針３が反対方向に向き釣り針３が魚の口の中の別の部位に刺さることなく取り出すことができる。
【産業上の利用可能性】
【００２１】  本発明の釣針外し具は、魚が飲み込んだ釣針を外すための道具として有用であり、極めてコンパクトで安価に製造することができる。特に、魚の口の奥深くに刺さって見えない釣針を別の部位に刺さらないように取り出すことが可能な道具として好適である。
【図面の簡単な説明】
【００２２】
【図１】釣針外し具の一部である瓢箪型中空パイプ図である。
【図２】釣針外し具の一部である釣針外し部材図である。
【図３】図１と図２を組み合わせた本考案の実施の形態における釣針外し具の正面図と断面図である。
【図４】本実施形態における釣針外し具の使用手順を示す説明図である。
【図５】図４（Ｃ）の拡大図である。
【符号の説明】
【００２３】  １    瓢箪型中空パイプ
１ａ  瓢箪型中空パイプ先端の窪み部
２    釣針外し部材
２ａ  釣針外し部材の釣針通し穴
２ｂ  釣針外し部材の釣針通し穴右側内壁
２ｃ  釣針外し部材の釣針通し穴に通じる切り欠き
２ｄ  釣針外し部材の釣針通し穴先端部
３    釣針
４    ハリス
【図１】
2008073036.tif 000003
【図２】
2008073036.tif 000004
【図３】
2008073036.tif 000005
【図４】
2008073036.tif 000006
【図５】
2008073036.tif 000007